(57)【要約】【課題】  従来の電子写真装置のセンサ位置決め機構は、反射型センサを中間転写ベルトを接触した状態で支持する例えば従動ロールの軸を基準にして位置決めプレートにより位置決めを行っており、位置決めプレートによりベルトと反射型センサの位置決めを精度よく行うことができるが、実印刷時において起こりうる、ベルト駆動の影響による振動の影響を受け、安定した検出が不可能となってしまう恐れがある。【解決手段】  ベルトを支持するベルトユニットに、前記ベルトユニット内で移動可能な、反射型センサ固定位置を決定する為の突き当て部材を設け、前記突き当て部材は、前記ベルトユニット内の前記ベルトを支持するローラの軸を基準として回転可能とした。【選択図】  図１
2006215359.tif 000002
【特許請求の範囲】
【請求項１】
中間転写ベルト、感光体ベルト、搬送ベルト、転写ベルト、定着ベルト等のベルト上に所定の検出用マークを生成し、前記マークを反射型センサにより検出し、該反射型センサにおける検出値を利用する電子写真装置において、前記ベルトを支持するベルトユニットに、前記ベルトユニット内で移動可能な前記反射型センサ固定位置を決定する為の突き当て部材を設けたことを特徴とする電子写真装置のセンサ位置決め機構。
【請求項２】
前記突き当て部材は、前記ベルトユニット内の前記ベルトを支持するローラの軸を基準として回転可能であることを特徴とする請求項１記載の電子写真装置のセンサ位置決め機構。
【発明の詳細な説明】
【技術分野】
【０００１】
本発明は、電子写真方式を用いた印刷装置に用いるセンサ位置決め機構に関する。
【背景技術】
【０００２】
従来の電子写真装置のセンサ位置決め機構としては、反射型センサを中間転写ベルトを接触した状態で支持する例えば従動ロールの軸を基準にして位置決めプレートにより位置決めを行う（例えば、特許文献１参照。）。
【０００３】
【特許文献１】特開平１１−６５３９７号公報
【発明の開示】
【発明が解決しようとする課題】
【０００４】
従来技術では、位置決めプレートにより、ベルトと反射型センサの位置決めを精度よく行うことができるが、実印刷時において起こりうる、ベルト駆動の影響による振動の影響を受け、安定した検出が不可能となってしまう恐れがある。
【０００５】
また、位置決めプレートがベルトのアウトラインからはみ出す構成となる恐れがあり、その場合、ベルトを着脱する際に位置決めプレートに接触し、ベルトを破損してしまう恐れがある。
【０００６】
本発明の目的は、ベルトと反射型センサの位置決めが精度よく行うことが可能であるとともに、実際のセンサ出力も安定して、精度よく検出することが可能であり、ベルト着脱時の障害とならないセンサ位置決め機構を提供することである。
【課題を解決するための手段】
【０００７】
前記目的を達成する為に本発明は、ベルトを支持するベルトユニットに、前記ベルトユニット内で移動可能な、反射型センサ固定位置を決定する為の突き当て部材を設け、前記突き当て部材は、前記ベルトユニット内の前記ベルトを支持するローラの軸を基準として回転可能としたことを特徴とする。
【発明の効果】
【０００８】
本発明によれば、ベルトと反射型センサの位置決めが精度よく行うことが可能であるとともに、実際のセンサ出力も安定して、精度よく検出することが可能であり、ベルト着脱時の障害とならない。
【発明を実施するための最良の形態】
【０００９】
以下に、本発明を実施例により説明する。
【実施例１】
【００１０】
本実施例では中間転写ベルトを用いて説明するが、本発明は中間転写ベルトに限らず、感光体ベルト、搬送ベルト、転写ベルト、定着ベルト等にも適用可能である。
【００１１】
図１、２は本発明の一実施例に基づく中間転写ベルトを用いた電子写真装置のセンサ位置決め機構の概略図である。
【００１２】
図１、２において、１は中間転写ベルト、２は反射型センサ、３は突き当て部材、４はドライブロール、５はアイドラロールである。
【００１３】
図１、２における中間転写ベルト１は図示しない中間転写ベルトユニットフレームに支持されたドライブロール４、アイドラロール５の他、複数のローラにより支持されており、それらにより形成される中間転写ベルトユニットは、図示しない電子写真装置本体に支持されている。
【００１４】
反射型センサ２は、図示しない電子写真装置本体に直接、または反射型センサ２を支持する図示しないセンサホルダを介して、図示しない電子写真装置本体に支持されている。
【００１５】
突き当て部材３は、例えば図１、２の様にアイドラロール５の中心軸を基準に回転可能となるように、図示しない中間転写ベルトユニットフレームに支持されている。
ここで、反射型センサ２は例えば、カラー電子写真装置において重要となる色ずれ補正用マークを検出するセンサ、または現像後のトナーの付着量補正用マークを検出するセンサ等である。
【００１６】
図１は反射型センサ２を位置決めする際の概略図である。図１において、反射型センサ２を位置決めする際には、突き当て部材３を図示位置となるように回転させ、反射型センサ２を突き当てることにより、反射型センサ固定位置を決定し、図示しない電子写真装置本体に固定する。また、図１では突き当て部材３を反射型センサ２に直接突き当てているが、例えば反射型センサ２を支持するセンサホルダ等に突き当てて固定位置を決定しても良い。
【００１７】
図２は、反射型センサ２位置決め時以外の突き当て部材３の位置を示す概略図である。図２において、突き当て部材３は反射型センサ２に接触していない。これにより、実印刷時に起こりうる中間転写ベルト１駆動の影響による振動が反射型センサ２に伝播することはない。また、中間転写ベルト１を着脱する際にも障害とならない。
【００１８】
次に、図１、２を用いた電子写真装置の全体構成を図３の概略図を用いて説明する。
【００１９】
印写ユニット６ａは、感光体ベルト７ａ、帯電器８ａ、露光装置９ａ。現像機１０ａ、清掃装置１１ａから構成されている。印写ユニット６ｂは、感光体ベルト７ｂ、帯電器８ｂ、露光装置９ｂ。現像機１０ｂ、清掃装置１１ｂから構成されている。印写ユニット６ｃは、感光体ベルト７ｃ、帯電器８ｃ、露光装置９ｃ、現像機１０ｃ、清掃装置１１ｃから構成されている。印写ユニット６ｄは、感光体ベルト７ｄ、帯電器８ｄ、露光装置９ｄ。現像機１０ｄ、清掃装置１１ｄから構成されている。
【００２０】
また、１２は中間転写ベルトであり、１３は中間転写ベルト１２の清掃装置である。中間転写ベルト１２と印写ユニット６ａ、６ｂ、６ｃ、６ｄが対向する位置には、それぞれ一次転写ロール１４ａ、１４ｂ、１４ｃ、１４ｄが中間転写ベルト１２の内側に配置されている。
【００２１】
印写ユニット６ａ、６ｂ、６ｃ、６ｄは、例えば印写ユニット６ａがブラック、印写ユニット６ｂがシアン、印写ユニット６ｃがマゼンタ、印写ユニット６ｄがイエローとそれぞれ異なる色を有する。
【００２２】
以下、印写ユニット６ａの印刷動作について説明する。
【００２３】
感光体ベルト７ａは、図示しないコントローラからの印刷動作開始信号に基づいて回転を始めると共に、電子写真装置の印刷速度に相当する速度で回転し、印刷動作が終了するまで回転を続ける。感光体ベルト７ａが回転を開始すると、帯電器８ａに高電圧が印加され、ベルト感光体７ａ表面に例えば正の電荷が均一に帯電される。
【００２４】
ドットイメージに変換された文字データや図形データが、露光装置９ａのオン／オフ信号として図示しないコントローラから電子写真装置に送られると、感光体ベルト７ａ表面に露光装置９ａよりレーザ光等が照射される部分と照射されない部分とが形成される。露光装置９ａからのレーザ光等の照射により、感光体ベルト７ａ上の電荷が消失した部分が現像機１０ａと対向する位置に到達すると、正電荷に帯電したトナーが静電気により吸引されて感光体ベルト７ａ上にトナー像が形成される。感光体ベルト７ａ上に形成されたトナー像は、中間転写ベルト１２背面側にトナー像と逆極性の電荷を付与する一次転写ロール１４ａの作用によって中間転写ベルト１２上に吸引される。なお、一次転写位置を通過した感光体ベルト７ａは、清掃装置１１ａで清掃され、感光体ベルト７ａ上の残留トナーは、図示しない吸引ブロアにより吸引され、図示しない回収部へ回収され、次の印刷動作に備えられる。
【００２５】
印写ユニット６ａを通過した中間転写ベルト１２は、印写ユニット６ｂ、６ｃ、６ｄで同様の印刷動作を経て、中間転写ベルト１２上にカラー画像を形成する。中間転写ベルト１２上に形成されたカラー画像は、二次転写器１５により用紙１６上に転写される。二次転写器１５によりカラー画像を形成された用紙１６は、図示しない定着装置に搬送され、到達した用紙１６上のトナー像が用紙１６に溶融定着される。
【００２６】
また、二次転写位置を通過した中間転写ベルト１２は、中間転写ベルトの清掃装置１３で清掃され、中間転写ベルト１２上の残留トナーは、図示しない吸引ブロアにより吸引され、図示しない回収部へ回収され、次の印刷動作に備えられる。
【００２７】
以上の様な印刷動作を繰り返し、用紙１６上にカラー画像が形成される。
【００２８】
ここで、１７は反射型センサであり、例えばカラー電子写真装置において重要となる色ずれ補正用マークを検出するセンサ、または現像後のトナーの付着量補正用マークを検出するセンサである。この反射型センサ１７は、ベルトとの位置決め精度が重要となるが、本発明のセンサ位置決め機構を用いることにより、中間転写ベルト１２を支持する中間転写ベルトユニットフレームに支持された突き当て部材に対して精度よく位置合せすることが可能となり、安定したセンサ出力を得ることが可能となる。
【００２９】
また、前記突き当て部材３はアイドラロール５の中心軸を基準に回転可能となっており、位置決め時以外には反射型センサ２に接触せず、実印刷時には、中間転写ベルト１の駆動による振動の影響を受けることなく、安定したセンサ出力を得ることができる。また、中間転写ベルト１の着脱時には、中間転写ベルト１に突き当て部材が接触することなく、容易に中間転写ベルト１が着脱可能となる。
【図面の簡単な説明】
【００３０】
【図１】本発明のセンサ位置決め機構におけるセンサ突き当て時の概略図である。
【図２】本発明のセンサ位置決め機構におけるセンサ突き当て時以外の概略図である。
【図３】本発明が適用される電子写真装置の概略構成図である。
【符号の説明】
【００３１】
１…中間転写ベルト、２…反射型センサ、３…突き当て部材。
【図１】
2006215359.tif 000003
【図２】
2006215359.tif 000004
【図３】
2006215359.tif 000005